(57)【要約】【課題】本発明は、取扱商品が多くても、商品毎に有効な広告をラベルに表示させることができるラベル印字システムを提供することを課題とする。【解決手段】店舗端末１に対象商品と当該対象商品に対応する関連商品とを対応づける関連商品対応データを記憶する情報記憶部１１を設けると共に、ホストサーバ３に関連商品の広告データを記憶しておき、関連商品特定部１３は、情報記憶部１１に記憶されている関連商品対応データに基づいて関連商品を特定すると共に、特定した関連商品の広告データをホストサーバ３から取得し、発行データ生成部１５は、関連商品特定部１３によって取得された広告データと印字データとからなる発行データを生成し、プリンタ４は、発行データ生成部１５によって生成された発行データに基づいて、対象商品の商品情報および関連商品の広告をラベルに印字する。【選択図】        図２
2010009312.tif 000002
【特許請求の範囲】
【請求項１】
対象商品の貼付するラベルに商品情報を含む印字データを印字するラベル印字システムであって、
前記対象商品と当該対象商品に対応する関連商品とを対応づける関連商品対応データを記憶する対応データ記憶手段と、
前記関連商品の広告データを記憶する広告データ記憶手段と、
前記対応データ記憶手段に記憶されている前記関連商品対応データに基づいて前記関連商品を特定すると共に、特定した前記関連商品の前記広告データを前記広告データ記憶手段から取得する関連商品特定手段と、
該関連商品特定手段によって取得された前記広告データと前記印字データとからなる発行データを生成する発行データ生成手段と、
該発行データ生成手段によって生成された発行データに基づいて、前記対象商品の商品情報および前記関連商品の広告を前記ラベルに印字する印字手段とを具備することを特徴とするラベル印字システム。
【請求項２】
前記関連商品の売上を集計した関連商品売上データを記憶する売上データ記憶手段を具備し、
前記関連商品特定手段は、前記対応データ記憶手段に記憶されている前記関連商品対応データに基づいて特定された複数の前記関連商品の中から、前記売上データ記憶手段に記憶されている前記関連商品売上データに基づいて最も売上が高い前記関連商品もしくは最も売上が低い前記関連商品のいずれかを設定された広告印字条件に応じて特定することを特徴とする請求項１記載のラベル印字システム。
【請求項３】
料理に使用する材料を前記対象商品とすると共に、前記対象商品を材料として作る料理に用いられる商品を前記関連商品とし、
前記関連商品を用いた料理に使用する材料を示す材料データを記憶する材料データ記憶手段を具備し、
前記関連商品特定手段は、特定した前記関連商品の前記材料データを前記材料データ記憶手段から取得し、
前記発行データ生成手段は、前記関連商品特定手段によって取得された前記広告データおよび前記材料データと前記印字データとからなる発行データを生成し、
前記印字手段は、前記発行データ生成手段によって生成された発行データに基づいて、前記対象商品の商品情報、前記関連商品の広告および前記関連商品を用いた料理に使用する材料を前記ラベルに印字することを特徴とする請求項１又は２記載のラベル印字システム。
【発明の詳細な説明】
【技術分野】
【０００１】
本発明は、ラベルに商品情報を印字するラベル印字システムに関し、特にラベルに商品情報と他の商品の広告とを印字するラベル印字システムに関する。
【背景技術】
【０００２】
従来、スーパーマーケット等の店舗では、品名、価格、原産地、容量等の対象商品の商品情報と共に広告を印字したラベルを商品に貼付することで、ラベルを有効活用した販売促進が行われており、各店舗に設置された印字装置を、管理サーバによって一元管理することで、管理サーバの管理者の登録により一斉に広告を表示したラベルを各店舗で印字することができるようにした技術が提案されている（例えば、特許文献１参照）。
【０００３】
しかしながら、従来技術は、複数の異なる商品に貼付するラベルに対して同一の広告を表示させるのには有効であるが、スーパーマーケット等の店舗のように取扱商品が多い場合には、商品毎に有効な広告を表示させることができないという問題点があった。
【０００４】
【特許文献１】特開２００７−１３３７１９号公報
【発明の開示】
【発明が解決しようとする課題】
【０００５】
本発明は斯かる問題点に鑑みてなされたものであり、その目的とするところは、取扱商品が多くても、商品毎に有効な広告をラベルに表示させることができるラベル印字システムを提供する点にある。
【課題を解決するための手段】
【０００６】
本発明は上記課題を解決すべく、以下に掲げる構成とした。
請求項１記載の発明の要旨は、対象商品の貼付するラベルに商品情報を含む印字データを印字するラベル印字システムであって、前記対象商品と当該対象商品に対応する関連商品とを対応づける関連商品対応データを記憶する対応データ記憶手段と、前記関連商品の広告データを記憶する広告データ記憶手段と、前記対応データ記憶手段に記憶されている前記関連商品対応データに基づいて前記関連商品を特定すると共に、特定した前記関連商品の前記広告データを前記広告データ記憶手段から取得する関連商品特定手段と、該関連商品特定手段によって取得された前記広告データと前記印字データとからなる発行データを生成する発行データ生成手段と、該発行データ生成手段によって生成された発行データに基づいて、前記対象商品の商品情報および前記関連商品の広告を前記ラベルに印字する印字手段とを具備することを特徴とするラベル印字システムに存する。
また請求項２記載の発明の要旨は、前記関連商品の売上を集計した関連商品売上データを記憶する売上データ記憶手段を具備し、前記関連商品特定手段は、前記対応データ記憶手段に記憶されている前記関連商品対応データに基づいて特定された複数の前記関連商品の中から、前記売上データ記憶手段に記憶されている前記関連商品売上データに基づいて最も売上が高い前記関連商品もしくは最も売上が低い前記関連商品のいずれかを設定された広告印字条件に応じて特定することを特徴とする請求項１記載のラベル印字システムに存する。
また請求項３記載の発明の要旨は、料理に使用する材料を前記対象商品とすると共に、前記対象商品を材料として作る料理に用いられる商品を前記関連商品とし、前記関連商品を用いた料理に使用する材料を示す材料データを記憶する材料データ記憶手段を具備し、前記関連商品特定手段は、特定した前記関連商品の前記材料データを前記材料データ記憶手段から取得し、前記発行データ生成手段は、前記関連商品特定手段によって取得された前記広告データおよび前記材料データと前記印字データとからなる発行データを生成し、前記印字手段は、前記発行データ生成手段によって生成された発行データに基づいて、前記対象商品の商品情報、前記関連商品の広告および前記関連商品を用いた料理に使用する材料を前記ラベルに印字することを特徴とする請求項１又は２記載のラベル印字システムに存する。
【発明の効果】
【０００７】
本発明のラベル印字システムは、対象商品と当該対象商品に対応する関連商品とを対応づける関連商品対応データを記憶する対応データ記憶手段と、関連商品の広告データを記憶する広告データ記憶手段とを設け、関連商品特定手段によって、対応データ記憶手段に記憶されている関連商品対応データに基づいて関連商品を特定すると共に、特定した関連商品の広告データを広告データ記憶手段から取得し、発行データ生成手段によって、関連商品特定手段によって取得された広告データと印字データとからなる発行データを生成し、印字手段によって、発行データ生成手段によって生成された発行データに基づいて、対象商品の商品情報および関連商品の広告をラベルに印字するように構成することにより、取扱商品が多くても、対象商品に関連する広告を特定し、特定した広告を商品情報と共にラベルに印字させることができるため、対象商品毎に有効な広告をラベルに表示させることができ、関連商品の有効な販売促進を行うことができるという効果を奏する。
【０００８】
さらに、本発明のラベル印字システムは、関連商品の売上を集計した関連商品売上データを記憶する売上データ記憶手段を設け、関連商品特定手段によって、対応データ記憶手段に記憶されている関連商品対応データに基づいて特定された複数の関連商品の中から、売上データ記憶手段に記憶されている関連商品売上データに基づいて最も売上が高い関連商品もしくは最も売上が低い関連商品のいずれかを設定された広告印字条件に応じて特定するように構成することにより、売上の低い関連商品の広告をラベルに印字する場合には、売上の低い関連商品の売れ残りや廃棄などを防止することができ、売上の高い関連商品の広告をラベルに印字する場合には、売上の高い関連商品の売上をさらに伸ばすことができるという効果を奏する。
【０００９】
さらに、本発明のラベル印字システムは、対象商品を料理に使用する材料とすると共に、対象商品を材料として作る料理に用いられる商品を関連商品とし、関連商品を用いた料理に使用する材料を示す材料データを記憶する材料データ記憶手段を設け、関連商品特定手段によって、特定した関連商品の材料データを材料データ記憶手段から取得し、発行データ生成手段によって、関連商品特定手段によって取得された広告データおよび材料データと印字データとからなる発行データを生成し、印字手段によって、発行データ生成手段によって生成された発行データに基づいて、対象商品の商品情報、関連商品の広告および関連商品を用いた料理に使用する材料をラベルに印字するように構成することにより、対象商品を購入しようと考えている購入希望者にとっては、対象商品を手にとってラベルを参照することで、対象商品を材料として用いる料理の参考情報を得ることができ、その他の材料の購入も容易に行うことができると共に、店舗にとっては、対象商品を材料として用いる料理の関連商品並びにその他の材料の販売促進を有効に行うことができるという効果を奏する。
【発明を実施するための最良の形態】
【００１０】
以下、本発明の実施の形態を図面に基づいて詳細に説明する。
【００１１】
（第１の実施の形態）
図１は、本発明に係るラベル印字システムの第１の実施の形態の構成を示す構成図であり、図２は、図１に示す店舗端末の構成を示すブロック図であり、図３は、図２に示す情報記憶部に記憶されている印字レイアウト情報例を示す図であり、図４は、図２に示す情報記憶部に記憶されている関連商品対応データ例を示す図であり、図５は、図２に示す情報記憶部に記憶されている関連商品売上データ例を示す図であり、図６は、図１に示すホストサーバに記憶されている材料データ例を示す図である。
【００１２】
第１の実施の形態のラベル印字システムは、肉や野菜等の料理の材料として用いられる食品を対象商品とし、当該対象商品に貼付するラベル、すなわち品名、価格、原産地、容量等の商品情報を表示するラベルを印字するためのシステムであり、図１を参照すると、材料食品を販売するスーパーマーケット等の店舗に設置された店舗端末１と、通信ネットワークであるインターネット２を介して店舗端末１に接続されたホストサーバ３と、店舗端末１に接続されたプリンタ４およびレジスタ装置５とで構成されている。
【００１３】
店舗端末１は、インターネット２経由でホストサーバ３と情報の送受信を行う機能を有するパーソナルコンピュータ等の情報処理装置であり、図２を参照すると、情報記憶部１１と、売上管理部１２と、関連商品特定部１３と、情報送受信部１４と、発行データ生成部１５と、キーボード等の入力部１６とを備えている。
【００１４】
情報記憶部１１は、ハードディスク等の情報記憶手段であり、印字レイアウト情報と、関連商品対応データと、関連商品売上データとが記憶されている。
【００１５】
情報記憶部１１に記憶されている印字レイアウト情報は、図３を参照すると、ラベル６に印字を行う際のレイアウトを定めた情報、すなわち固定フィールド（予め入力された固定データを印字するフィールド）と可変フィールド（可変データが印字されるフィールド）とが設定されている情報であり、対象商品の商品情報を印字する商品情報印字欄６１と、対象商品に関連する関連商品の広告を印字する広告データ印字欄６２と、関連商品を用いた料理の材料を示す材料データを印字する材料データ印字欄６３とが設定されている。
【００１６】
情報記憶部１１に記憶されている関連商品対応データは、図４を参照すると、ラベル６が貼付される対象商品（商品番号）と、当該対象商品を材料として作る料理の調味料等の関連する関連商品（商品番号）とを対応づけるデータである。図４に示すように、対象商品が「牛肉ブロック」の場合には、関連商品として各種「カレーのルー」や（シチューのルー）が対応づけられ、また、対象商品が「豚挽肉」の場合には、関連商品として各種「麻婆豆腐の素」が対応づけられ、さらに、対象商品が「レタス」等の野菜の場合には、関連商品として各種「ドレッシング」が対応づけられている。
【００１７】
情報記憶部１１に記憶されている関連商品売上データは、図５を参照すると、関連商品対応データに掲載されている関連商品の売上状況を示すデータであり、各関連商品の売上金額、更新日時が記憶されている。
【００１８】
売上管理部１２は、店舗に設置され、商品の精算を行うレジスタ装置５に接続され、レジスタ装置５によって関連商品の精算が行われると、情報記憶部１１に記憶されている関連商品売上データの売上金額、更新日時を更新する。なお、売上金額の集計期間は、任意に設定することができ、所定のタイミングで関連商品売上データがリセットされるように構成すると良い。
【００１９】
関連商品特定部１３は、関連商品対応データに基づいて関連商品を特定すると共に、特定した関連商品の広告データをホストサーバ３から取得する関連商品特定手段として機能し、発行データ生成部１５から入力された対象商品の商品番号および広告印字条件と、情報記憶部１１に記憶されている関連商品対応データおよび関連商品売上データとに基づいて、対象商品に関連する関連商品の中から広告データ印字欄６２に表示する関連商品を特定し、特定した関連商品の商品番号を情報送受信部１４に出力する。なお、広告印字条件は、例えば売上金額が最も高い関連商品を特定するか、最も低い関連商品を特定するかを指定するものであり、入力部１６から発行データ生成部１５を介して関連商品特定部１３に対象商品の商品番号および広告印字条件が入力されると、関連商品特定部１３は、情報記憶部１１に記憶されている関連商品対応データに基づいて、対象商品に対応する関連商品を検索し、検索された関連商品の中から広告印字条件に基づいて、情報記憶部１１に記憶されている関連商品売上データを検索することで、売上金額が最も高い関連商品もしくは最も低い関連商品のいずれかを広告データ印字欄６２に表示する関連商品として特定する。
【００２０】
情報送受信部１４は、インターネット２経由でホストサーバ３と情報通信を行う機能を有し、関連商品特定部１３から関連商品の商品番号が入力されると、入力された関連商品の商品番号を、広告データを要求するリクエストとしてインターネット２経由でホストサーバ３に送信すると共に、インターネット２経由でホストサーバ３から広告データおよび材料データを受信すると、受信した広告データおよび材料データを発行データ生成部１５に出力する。
【００２１】
発行データ生成部１５は、入力部１６から入力されたラベル６の商品情報印字欄６１に印字する印字データと、広告印字条件とを受け付け、対象商品の商品番号と、広告印字条件とを関連商品特定部１３に出力する。また、発行データ生成部１５は、ホストサーバ３から受信した広告データおよび材料データが情報送受信部１４から入力されると、情報記憶部１１に記憶されている印字レイアウト情報に基づいて、商品情報印字欄６１に入力部１６から入力された印字データを、広告データ印字欄６２にホストサーバ３から受信した広告データを、材料データ印字欄６３にホストサーバ３から受信した材料データをそれぞれ反映させた発行データを生成し、生成した発行データをプリンタ４に送信し、ラベル６を発行させる。
【００２２】
ホストサーバ３は、ＷＷＷ（World Wide Web）システムにおいて、関連商品毎の広告データと、材料データとを記憶しておき、店舗端末１からのリクエストに応じて、インターネット２を介して広告データおよび材料データを店舗端末１に送信するコンピュータである。なお、第１の実施の形態では、材料データは、関連商品を用いて調理する料理の代表的なレシピを示すデータであり、図６に示すように、材料と、当該材料の分量とで構成されている。
【００２３】
プリンタ４は、店舗端末１から受信された発行データに基づいて、ラベル６に印字を行う印字手段であり、熱転写方式、感熱方式、インクジェット方式、インパクト方式、電子写真方式等の各種印字方式を採用することができる。
【００２４】
レジスタ装置５は、商品の精算を行うキャッシュレジスタ装置であり、店舗端末１に接続され、商品の売上、すなわち精算された商品毎の売上金額を店舗端末１に送信する機能を有している。
【００２５】
次に、第１の実施の形態の動作について図７乃至図９を参照して詳細に説明する。
図７は、本発明に係るラベル印字システムの実施の形態の動作を説明するためのシーケンス図であり、図８は、本発明に係るラベル印字システムの実施の形態によって発行されたラベル例を示す図であり、図９は、図８に示す材料データ印字欄への他の表示例を示す図である。
【００２６】
まず、入力部１６から商品情報印字欄６１に印字する印字データを入力してラベル６の発行を指示すると共に（ステップＡ１）、印字する広告を特定する条件を示す広告印字条件を入力する（ステップＡ２）。なお、印字データは、対象商品の品名、価格、原産地、容量や対象商品の商品番号等の商品情報であり、予め複数の商品に対応する商品情報の全部もしくは一部を予め記憶させておき、入力部１６によって選択するようにしても良い。また、広告印字条件は、その都度入力するのではなく、前回と広告印字条件を変更する場合のみ入力するようにしたり、対象商品毎に定めておくようにしたりしても良い。
【００２７】
入力部１６から印字データと広告印字条件とが入力されると、発行データ生成部１５は、対象商品の商品番号と、広告印字条件とを関連商品特定部１３に出力する。関連商品特定部１３は、対象商品の商品番号と、広告印字条件とが入力されると、情報記憶部１１に記憶されている関連商品対応データに基づいて、対象商品に関連する関連商品を検索し（ステップＡ３）、検索された関連商品の中から広告印字条件に基づいて、情報記憶部１１に記憶されている関連商品売上データを検索することで（ステップＡ４）、売上金額が最も高い関連商品もしくは最も低い関連商品のいずれかを広告データ印字欄６２に表示する関連商品として特定し（ステップＡ５）、特定した関連商品の商品番号をインターネット２経由でホストサーバ３に送信する（ステップＡ６）。なお、ステップＡ３で１つの関連商品しか検索されなかった場合には、ステップＡ４〜Ａ５は、省略され、検索された関連商品の商品番号がインターネット２経由でホストサーバ３に送信されることになる。
【００２８】
次に、ホストサーバ３は、インターネット２経由で店舗端末１から関連商品の商品番号を受信すると、受信した関連商品の商品番号に基づいて、広告データおよび材料データを検索することで（ステップＡ７）、受信した関連商品に対応する広告データおよび材料データを特定し（ステップＡ８）、特定した広告データおよび材料データをインターネット２経由で店舗端末１に送信する（ステップＡ９）。
【００２９】
情報送受信部１４は、インターネット２経由でホストサーバ３から広告データおよび材料データを受信すると、受信した広告データおよび材料データを発行データ生成部１５に出力し、発行データ生成部１５は、情報記憶部１１に記憶されている印字レイアウト情報に基づいて、商品情報印字欄６１に入力部１６から入力された印字データを、広告データ印字欄６２にホストサーバ３から受信した広告データを、材料データ印字欄６３にホストサーバ３から受信した材料データをそれぞれ反映させた発行データを生成し（ステップＡ１０）、生成した発行データをプリンタ４に送信し（ステップＡ１１）、プリンタ４によって、図８に示すようなラベル６を発行させる（ステップＡ１２）。なお、図８に示すラベル６は、ステップＡ１において、図４に示す「牛肉ブロック」（商品番号：００１０００２）の印字データが入力されると共に、ステップＡ２において、売上金額が最も高い関連商品を特定すると指定された広告印字条件が入力された例が示されており、ステップＡ５において、売上金額が最も高い「Ｃ社シチューのルー」（商品番号：００７００３５）が特定され、広告データ印字欄６２にホストサーバ３から受信した「Ｃ社シチューのルー」の広告データと、材料データ印字欄６３にホストサーバ３から受信した「Ｃ社シチューのルー」の材料データとが印字されている。
【００３０】
なお、第１の実施の形態では、ホストサーバ３に関連商品毎の広告データと、材料データとを記憶しておくように構成したが、事前に関連商品毎の広告データおよび材料データを店舗端末１に送信し、店舗端末１において関連商品毎の広告データおよび材料データを記憶しておくようにしても良く、この場合には、ラベル６を印字する際に、店舗端末１がインターネット２に接続されていない状態でも、広告データおよび材料データをラベル６の広告データ印字欄６２および材料データ印字欄６３にそれぞれ印字することが可能になる。
【００３１】
また、第１の実施の形態において、広告データ印字欄６２への広告データの印字の有無と、材料データ印字欄６３への材料データの印字の有無とを入力部１６からの入力によって選択できようにしても良く、広告データ印字欄６２への広告データの印字の有無と、材料データ印字欄６３への材料データの印字の有無とを対象商品毎に設定できるようにしても良い。さらに、第１の実施の形態では、材料データ印字欄６３に材料データをそのまま印字するように構成したが、印字データに基づいて材料データを加工して印字するように構成しても良い。例えば、図９（ａ）に示すように、材料データの中には、対象商品が含まれているため、材料データの中から対象商品を削除し、それ以外の材料を材料データ印字欄６３に表示するようにしても良く、図９（ｂ）に示すように、材料データにおける対象商品の分量と、印字データにおける対象商品の正味量とを比較することで、必要なパック数を算出し、当該数値を材料データ印字欄６３に表示するようにしても良い。また、材料データ印字欄６３に材料データをそのまま印字するか、加工して印字するかを選択可能にすることもでき、加工方法も選択もすることができるようにすると良い。
【００３２】
（第２の実施の形態）
図１０は、本発明に係るラベル印字システムの第２の実施の形態の構成を示す構成図であり、図１１は、本発明に係るラベル印字システムの第２の実施の形態の動作を説明するためのシーケンス図である。
【００３３】
第２の実施の形態では、プリンタ４にインターネット２経由でホストサーバ３と情報の送受信を行う機能と、第１の実施の形態において店舗端末１に設けられている入力部１６および発行データ生成部１５の機能とを設けた点が異なっている。
【００３４】
図１０および図１１を参照すると、プリンタ４において、印字データを入力するステップＡ１の処理と、広告印字条件を入力するステップＡ２の処理とが実行され、対象商品の商品番号と、広告印字条件とをプリンタ４から店舗端末１に送信する（ステップＢ１）。
【００３５】
次に、第１の実施の形態と同様に、店舗端末１において、ステップＡ３〜Ａ６の処理が行われると共に、ホストサーバ３において、ステップＡ７〜Ａ８の処理が行われ、ステップＡ８特定した広告データおよび材料データがホストサーバ３からインターネット２経由でプリンタ４に送信される（ステップＢ２）。
【００３６】
次に、プリンタ４において、発行データを生成するステップＡ１０の処理が実行され、ラベル６を発行される（ステップＡ１２）。
【００３７】
以上説明したように、本実施の形態によれば、店舗端末１に対象商品と当該対象商品に対応する関連商品とを対応づける関連商品対応データを記憶する情報記憶部１１を設けると共に、ホストサーバ３に関連商品の広告データを記憶しておき、関連商品特定部１３は、情報記憶部１１に記憶されている関連商品対応データに基づいて関連商品を特定すると共に、特定した関連商品の広告データをホストサーバ３から取得し、発行データ生成部１５は、関連商品特定部１３によって取得された広告データと印字データとからなる発行データを生成し、プリンタ４は、発行データ生成部１５によって生成された発行データに基づいて、対象商品の商品情報および関連商品の広告をラベル６に印字するように構成することにより、取扱商品が多くても、対象商品に関連する広告を特定し、特定した広告を商品情報と共にラベル６に印字させることができるため、対象商品毎に有効な広告をラベル６に表示させることができ、関連商品の有効な販売促進を行うことができるという効果を奏する。
【００３８】
さらに、本実施の形態によれば、情報記憶部１１に関連商品の関連商品売上データを記憶させ、関連商品特定部１３は、情報記憶部１１に記憶されている関連商品対応データに基づいて特定された複数の関連商品の中から、情報記憶部１１に記憶されている関連商品売上データに基づいて最も売上が高い関連商品もしくは最も売上が低い関連商品のいずれかを設定された広告印字条件に応じて特定するように構成することにより、売上の低い関連商品の広告をラベル６に印字する場合には、売上の低い関連商品の売れ残りや廃棄などを防止することができ、売上の高い関連商品の広告をラベル６に印字する場合には、売上の高い関連商品の売上をさらに伸ばすことができるという効果を奏する。
【００３９】
さらに、本実施の形態によれば、対象商品を料理に使用する材料とすると共に、対象商品を材料として作る料理に用いられる商品を関連商品とし、ホストサーバ３関連商品を用いた料理に使用する材料を示す材料データを記憶しておき、関連商品特定部１３は、特定した関連商品の材料データをホストサーバ３から取得し、発行データ生成部１５は、関連商品特定部１３によって取得された広告データおよび材料データと印字データとからなる発行データを生成し、プリンタ４は、発行データ生成部１５によって生成された発行データに基づいて、対象商品の商品情報、関連商品の広告および関連商品を用いた料理に使用する材料をラベル６に印字するように構成することにより、対象商品を購入しようと考えている購入希望者にとっては、対象商品を手にとってラベル６を参照することで、対象商品を材料として用いる料理の参考情報を得ることができ、その他の材料の購入も容易に行うことができると共に、店舗にとっては、対象商品を材料として用いる料理の関連商品並びにその他の材料の販売促進を有効に行うことができるという効果を奏する。
【００４０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４１】
【図１】本発明に係るラベル印字システムの第１の実施の形態の構成を示す構成図である。
【図２】図１に示す店舗端末の構成を示すブロック図である。
【図３】図２に示す情報記憶部に記憶されている印字レイアウト情報例を示す図である。
【図４】図２に示す情報記憶部に記憶されている関連商品対応データ例を示す図である。
【図５】図２に示す情報記憶部に記憶されている関連商品売上データ例を示す図である。
【図６】図１に示すホストサーバに記憶されている材料データ例を示す図である。
【図７】本発明に係るラベル印字システムの第１の実施の形態の動作を説明するためのシーケンス図である。
【図８】本発明に係るラベル印字システムの第１の実施の形態によって発行されたラベル例を示す図である。
【図９】図８に示す材料データ印字欄への他の表示例を示す図である。
【図１０】本発明に係るラベル印字システムの第２の実施の形態の構成を示す構成図である。
【図１１】本発明に係るラベル印字システムの第２の実施の形態の動作を説明するためのシーケンス図である。
【符号の説明】
【００４２】
１  店舗端末
２  インターネット
３  ホストサーバ（広告データ記憶手段、材料データ記憶手段）
４  プリンタ（印字手段）
５  レジスタ装置
６  ラベル
１１  情報記憶部（対応データ記憶手段、売上データ記憶手段）
１２  売上管理部
１３  関連商品特定部（関連商品特定手段）
１４  情報送受信部
１５  発行データ生成部（発行データ生成手段）
１６  入力部
６１  商品情報印字欄
６２  広告データ印字欄
６３  材料データ印字欄
【図１】
2010009312.tif 000003
【図２】
2010009312.tif 000004
【図３】
2010009312.tif 000005
【図４】
2010009312.tif 000006
【図５】
2010009312.tif 000007
【図６】
2010009312.tif 000008
【図７】
2010009312.tif 000009
【図８】
2010009312.tif 000010
【図９】
2010009312.tif 000011
【図１０】
2010009312.tif 000012
【図１１】
2010009312.tif 000013